(57)【要約】    【課題】  治具およびノズルのセットの繁雑化、発泡原料の漏れ。    【構成】  複数の表皮構成部材を縫着して表皮部材Ｈを形成し、該表皮部材Ｈのうちの少なくとも下側表皮部材５は、下前側表皮部材８と下中間表皮部材７と下後側表皮部材６とを有して構成し、前記下前側表皮部材８と下中間表皮部材７との合わせ目Ｘと、下中間表皮部材７と下後側表皮部材６との合わせ目Ｙの何れか一方には、互いに相対峙するように突き出る舌片部１２Ａと舌片部１２Ｂにより形成した発泡原料注入部１８を、何れか他方の合わせ目には、裏側にして縫着した表皮部材Ｈを表にするためのスリット２４を形成したヘッドレスト。【選択図】    図１
2006043329.tif 000002
【特許請求の範囲】
【請求項１】
複数の表皮構成部材を縫着して表皮部材Ｈを形成し、該表皮部材Ｈのうちの少なくとも下側表皮部材５は、下前側表皮部材８と下中間表皮部材７と下後側表皮部材６とを有して構成し、前記下前側表皮部材８と下中間表皮部材７との合わせ目Ｘと、下中間表皮部材７と下後側表皮部材６との合わせ目Ｙの何れか一方には、互いに相対峙するように突き出る舌片部１２Ａと舌片部１２Ｂにより形成した発泡原料注入部１８を、何れか他方の合わせ目には、裏側にして縫着した表皮部材Ｈを表にするためのスリット２４を形成したヘッドレスト。
【請求項２】
請求項１において、前記舌片部１２Ａと舌片部１２Ｂは、前記下中間表皮部材７の前側端縁１０と下前側表皮部材８の後側端縁１１の左右中間部分に、夫々が互いに相対峙するように形成し、少なくとも、舌片部１２Ａと舌片部１２Ｂの側縁は縫着１３し、舌片部１２Ａと舌片部１２Ｂのうち何れか一方に発泡原料を注入する発泡原料注入ノズル１５を差し込むため挿入口１６を形成したヘッドレスト。
【請求項３】
請求項２において、前記発泡原料注入部１８は、発泡原料注入ノズル１５の径を基準に挿入口１６は発泡原料注入ノズル１５が差し込み可能な範囲で可及的に小径に形成し、舌片部１２Ａと舌片部１２Ｂは挿入口１６が形成でき、且つ、縫着１３後発泡原料注入ノズル１５が差し込み可能な範囲で可及的に小幅に形成するように構成したヘッドレスト。
【請求項４】
請求項１または請求項２または請求項３において、前記下後側表皮部材６と下中間表皮部材７の夫々は、少なくともヘッドレスト本体１の表面側に露出する中間下面露出部２０および後側下面露出部２１と、クッション材２の原材料を発泡させると該クッション材２内に埋没する中間埋没部２２および後側埋没部２３とを夫々有して形成し、下中間表皮部材７と下後側表皮部材６の合わせ目Ｙは中間埋没部２２と後側埋没部２３の左右両側部分のみ縫着２５し、左右中間部に前記スリット２４を形成して構成したヘッドレスト。
【発明の詳細な説明】
【技術分野】
【０００１】
本発明は、ヘッドレストに係るものである。
【背景技術】
【０００２】
従来、下側表皮部材の下前側表皮部材と下後側表皮部材のうち一方の舌片を短く、他方の舌片を長く形成し、長く形成した舌片に注入ノズルを挿入させる透孔を形成し、注入ノズルの先端は治具により固定しながら発泡原料を注入する方法は公知である（例えば、特許文献１参照）。
【特許文献１】特開平１０−１２８７６９号公報
【発明の開示】
【発明が解決しようとする課題】
【０００３】
前記公知例は、注入ノズルの先端は治具により固定しながら発泡原料を注入する点に課題がある。
即ち、治具は、発泡後を外すのが容易でなく、作業工程、部品点数の面でコストが高くなる。
治具を不要にするのに、注入ノズルの先端に係合突起を設けた構成も存在するが、ノズルのセットが容易でなく、注入ノズルと舌片の位置関係が崩れると、舌片と舌片の隙間から発泡原料が漏れるという課題がある。
本願は、発泡原料注入口の位置を工夫して、ノズルのセットを容易にし、しかも、発泡原料が漏れにくいヘッドレストを提供するものである。
【課題を解決するための手段】
【０００４】
本発明は、複数の表皮構成部材を縫着して表皮部材Ｈを形成し、該表皮部材Ｈのうちの少なくとも下側表皮部材５は、下前側表皮部材８と下中間表皮部材７と下後側表皮部材６とを有して構成し、前記下前側表皮部材８と下中間表皮部材７との合わせ目Ｘと、下中間表皮部材７と下後側表皮部材６との合わせ目Ｙの何れか一方には、互いに相対峙するように突き出る舌片部１２Ａと舌片部１２Ｂにより形成した発泡原料注入部１８を、何れか他方の合わせ目には、裏側にして縫着した表皮部材Ｈを表にするためのスリット２４を形成したヘッドレストとしたものである。
本発明は、前記舌片部１２Ａと舌片部１２Ｂは、前記下中間表皮部材７の前側端縁１０と下前側表皮部材８の後側端縁１１の左右中間部分に、夫々が互いに相対峙するように形成し、少なくとも、舌片部１２Ａと舌片部１２Ｂの側縁は縫着１３し、舌片部１２Ａと舌片部１２Ｂのうち何れか一方に発泡原料を注入する発泡原料注入ノズル１５を差し込むため挿入口１６を形成したヘッドレストとしたものである。
本発明は、前記発泡原料注入部１８は、発泡原料注入ノズル１５の径を基準に挿入口１６は発泡原料注入ノズル１５が差し込み可能な範囲で可及的に小径に形成し、舌片部１２Ａと舌片部１２Ｂは挿入口１６が形成でき、且つ、縫着１３後発泡原料注入ノズル１５が差し込み可能な範囲で可及的に小幅に形成するように構成したヘッドレストとしたものである。
本発明は、前記下後側表皮部材６と下中間表皮部材７の夫々は、少なくともヘッドレスト本体１の表面側に露出する中間下面露出部２０および後側下面露出部２１と、クッション材２の原材料を発泡させると該クッション材２内に埋没する中間埋没部２２および後側埋没部２３とを夫々有して形成し、下中間表皮部材７と下後側表皮部材６の合わせ目Ｙは中間埋没部２２と後側埋没部２３の左右両側部分のみ縫着２５し、左右中間部に前記スリット２４を形成して構成したヘッドレストとしたものである。
【発明の効果】
【０００５】
請求項１の発明では、下前側表皮部材８と下中間表皮部材７との合わせ目Ｘと、下中間表皮部材７と下後側表皮部材６との合わせ目Ｙの何れか一方のスリット２４により発泡原料注入ノズル１５のセットを容易にでき、発泡原料注入ノズル１５をセットした発泡原料注入部１８以外の合わせ目Ｘは縫着されるので発泡原料の漏れを防止または抑制できる。
請求項２の発明では、発泡原料注入部１８の挿入口１６以外からの発泡原料の漏れを防止または抑制できる。
請求項３の発明では、発泡原料注入部１８の舌片部１２Ａと舌片部１２Ｂは可及的に小さく形成することができ、発泡原料の漏れを防止または抑制できる。
請求項４の発明では、中間埋没部２２と後側埋没部２３は、クッション材２の原材料を発泡させるとクッション材２内に埋没するので、スリット２４の大きさを可及的に大きくでき、作業性を向上できる。
【実施例１】
【０００６】
本発明の一実施例を図面により説明すると、１はヘッドレスト本体であり、ヘッドレスト本体１は縫製した表皮部材Ｈを金型（図示省略）内にセットとし、ウレタン等のクッション材２の発泡原料を注入して発泡させて形成する。ヘッドレスト本体１には図示は省略するがシートの背凭シートの支持部に挿入する軸棒形状のピラー４を設けている。
前記表皮部材Ｈは複数の各表皮構成部材を縫着して形成し、本願はこの表皮部材Ｈのうちのヘッドレスト本体１の下面側を包囲する下側表皮部材５の構造に係るものである。
【０００７】
下側表皮部材５は、下後側表皮部材６と、下中間表皮部材７と、下前側表皮部材８とを有して構成する。
下中間表皮部材７の前側端縁１０と下前側表皮部材８の後側端縁１１の合わせ目Ｘとなる左右中間部分には、夫々小幅に突き出る舌片部１２Ａと舌片部１２Ｂとを夫々が互いに相対峙するように形成する。少なくとも、舌片部１２Ａと舌片部１２Ｂの側縁は縫着１３する。舌片部１２Ａと舌片部１２Ｂのうち何れか一方に発泡原料を注入する発泡原料注入ノズル１５を差し込むため挿入口１６を形成する。
したがって、下中間表皮部材７と下前側表皮部材８との間には、舌片部１２Ａと舌片部１２Ｂにより発泡原料注入部１８を形成する。
【０００８】
発泡原料注入部１８は、発泡原料注入ノズル１５を挿入するためのものであるから、発泡原料注入ノズル１５の径を基準に可及的に小さく形成し、例えば、挿入口１６は発泡原料注入ノズル１５が差し込み可能な範囲で可及的に小径に形成し、舌片部１２Ａと舌片部１２Ｂは挿入口１６が形成でき、且つ、縫着１３後発泡原料注入ノズル１５が差し込み可能な範囲で可及的に小幅に形成すると、発泡原料の漏れが防止できて好適である。
また、下中間表皮部材７の前側端縁１０と下前側表皮部材８の後側端縁１１は左右中間部分の舌片部１２Ａと舌片部１２Ｂを除いて縫着１９する。
【０００９】
しかして、下後側表皮部材６と下中間表皮部材７の夫々は、少なくともヘッドレスト本体１の表面側に露出する中間（前側）下面露出部２０および後側下面露出部２１と、クッション材２の原材料を発泡させるとクッション材２内に埋没する中間（前側）埋没部２２および後側埋没部２３とを夫々有して形成する。
中間埋没部２２と後側埋没部２３は下中間表皮部材７と下後側表皮部材６の合わせ目Ｙとなるヘッドレスト本体１のスリット２４内（内側）に位置し、中間埋没部２２と後側埋没部２３はクッション材２の発泡源材料を発泡させると互いに密着状態で埋没する。
【００１０】
しかして、下中間表皮部材７と下後側表皮部材６は中間埋没部２２と後側埋没部２３の端縁を重ね合わせ、中間埋没部２２と後側埋没部２３の側縁のみ縫着２５し、下中間表皮部材７と下後側表皮部材６の左右両側の縫着２５を除いた部分が前記スリット２４となる。
スリット２４は、複数の各表皮構成部材を裏返し状態で縫着した表皮部材Ｈのスリット２４から表皮部材Ｈ全体を表（再び裏返し）にし、縫製作業が終了すると、発泡原料を注入するに際して、スリット２４から手を挿入する等の作業用開口部として作用し、特に、発泡原料注入ノズル１５を挿入口１６に差し込んでセットする作業を行うのが容易となる。
【００１１】
（実施例の作用）  
表皮部材Ｈの各表皮構成部材を、完成後裏面となる側の面を表にして縫着する。
この表皮部材Ｈのうち、少なくとも、下側表皮部材５は、下後側表皮部材６と、下中間表皮部材７と、下前側表皮部材８とを有して構成し、下中間表皮部材７の前側端縁１０と下前側表皮部材８の後側端縁１１は左右中間部分の舌片部１２Ａと舌片部１２Ｂを除いて縫着１９する。
【００１２】
また、下中間表皮部材７と下前側表皮部材８の舌片部１２Ａと舌片部１２Ｂは、互いに相対峙させて重ね合わせ、少なくとも、舌片部１２Ａと舌片部１２Ｂの側縁を縫着１３して、下中間表皮部材７と下前側表皮部材８との間には、舌片部１２Ａと舌片部１２Ｂにより発泡原料注入部１８を形成する。
しかして、下後側表皮部材６と下中間表皮部材７の夫々は、少なくともヘッドレスト本体１の表面側に露出する中間（前側）下面露出部２０および後側下面露出部２１と、クッション材２の原材料を発泡させるとクッション材２内に埋没する中間埋没部２２および後側埋没部２３とを夫々有して形成し、下中間表皮部材７と下後側表皮部材６は中間埋没部２２と後側埋没部２３の端縁を重ね合わせ、中間埋没部２２と後側埋没部２３の側縁のみ縫着２５する。
【００１３】
したがって、中間埋没部２２と後側埋没部２３は下中間表皮部材７と下後側表皮部材６の合わせ目Ｙとなるヘッドレスト本体１のスリット２４内（内側）に位置し、中間埋没部２２と後側埋没部２３はクッション材２の発泡源材料を発泡させると互いに密着状態で埋没する。
しかして、ヘッドレスト本体１には、発泡原料注入部１８とスリット２４を並存させ、発泡原料注入ノズル１５をセットするときは、スリット２４を開口させて行い、他方、発泡原料注入部１８から発泡原料を注入するときは、スリット２４を閉塞するように構成しているから、作業性を向上させつつ、発泡原料の漏れを防止する。
【００１４】
即ち、スリット２４を設けているので、表皮返し作業、および、発泡原料注入ノズル１５の挿入口１６（舌片部１２Ａまたは舌片部１２Ｂ）へのセットは、スリット２４を利用でき、頗る容易になる。
そのため、発泡原料注入部１８に発泡原料注入ノズル１５をセットするための特別な治具が不要あるいは小型にでき、発泡原料注入ノズル１５のセット作業が容易になり、しかも、発泡原料注入部１８の開口部分は発泡原料注入ノズル１５と略同径の挿入口１６であるので、発泡原料の漏れも防止または抑制する。
【００１５】
一方、前記スリット２４は、下中間表皮部材７と下後側表皮部材６にクッション材２の発泡源材料を発泡させると互いに密着状態で埋没する中間埋没部２２と後側埋没部２３により構成しているから、この合わせ目Ｙの部分には発泡原料注入ノズル１５を挿入しないこと、原材料を注入する際の注入圧力およびクッション材の原材料が発泡硬化するときの膨張圧力が掛かることが無いので、スリット２４から発泡原料が滲み出ることはなく、発泡原料の漏れは防止される。
以上のように、裏面を重ねた状態で各表部材を縫着した表皮部材Ｈを表にする表皮返し用のスリット２４の開口面積を発泡原料の漏れを防止しつつ大きくでき、一方、発泡原料注入部１８の面積を発泡原料注入ノズル１５に合わせて可及的に小さくでき、合理的な構成となる。
【００１６】
なお、図２は、下側表皮部材５の縫製前の分解状態図であるが、理解を容易にするために、縫着部分を点線で表示しているが、縫製前の状態のため、互いに縫製する各表皮構成部材の両方に同一の符号により縫着部分が表示しており、これにより構成が限定されることはない。
【図面の簡単な説明】
【００１７】
【図１】ヘッドレストの斜視図。
【図２】下側表皮部材の縫製前の分解状態図。
【図３】下前側表皮部材と下中間表皮部材の縫製前の分解図。
【図４】同縫製後のノズル挿入状態の断面図。
【図５】同ノズル挿入前の斜視図。
【図６】同ノズル挿入後の斜視図。
【符号の説明】
【００１８】
１…ヘッドレスト本体、２…クッション材、６…下後側表皮部材、７…下中間表皮部材、８…下前側表皮部材、１０…前側端縁、１１…後側端縁、１２Ａ…舌片部、１２Ｂ…舌片部、１３…縫着、１５…発泡原料注入ノズル、１６…挿入口、１８…発泡原料注入部、１９…縫着、２０…中間下面露出部、２１…後側下面露出部、２２…中間埋没部、２３…後側埋没部、２４…スリット、２５…縫着。
【図１】
2006043329.tif 000003
【図２】
2006043329.tif 000004
【図３】
2006043329.tif 000005
【図４】
2006043329.tif 000006
【図５】
2006043329.tif 000007
【図６】
2006043329.tif 000008